(57)【特許請求の範囲】
【請求項１】
スクリーンに映写を行う機能を有する携帯電話機システムにおいて、
携帯電話機で表示データの表示を行う映写用ＬＣＤ表示部と、
前記映写用ＬＣＤ表示部の背面で点灯して前記携帯電話機から前記スクリーンに映写を行うランプ部と、
前記ランプを含む前記携帯電話機の各部に電力を供給するバッテリと、
前記携帯電話機のコネクタと接続可能で、前記携帯電話機の映写操作を行い、前記バッテリの充電を行うための外部入力装置と、
前記携帯電話機のコネクタに接続される前記外部入力装置から前記携帯電話機の映写操作を行う制御信号、表示データを取り込むための外部インタフェースと、
前記携帯電話機の前記コネクタの接続信号から前記外部入力装置と前記携帯電話機の接続を検出したか否かを判断し検出した場合には前記バッテリへの充電を開始し、さらに、前記バッテリの電池容量が所定値以下になったか否かを判断し所定値以下の場合には表示指示の前記制御信号で前記映写用ＬＣＤ表示部に前記外部インタフェースから取り込んだ前記表示データを表示させ、点灯指示の前記制御信号で前記ランプ部を点灯させる映写制御部とを備えることを特徴とする携帯電話機システム。
【請求項２】
前記外部入力装置に脱着可能である外部メモリを設け、前記外部メモリは映写に用いられる前記表示データを保存することを特徴とする、請求項１に記載の携帯電話機システム。
【請求項３】
前記映写制御部は前記外部インタフェースの制御信号により前記外部入力装置との接続時に前記携帯電話機の送受信データ、カメラの映像データを含むデータを保存するメモリ部から前記外部メモリに前記データを移動することを特徴とする、請求項２に記載の携帯電話機システム。
【請求項４】
前記映写制御部は前記外部インタフェースの制御信号により前記携帯電話機の送受信データ、カメラの映像データを含むデータを表示する表示用ＬＣＤ表示部は、接続時に前記外部入力装置から入力した前記表示データを表示することを特徴とする、請求項１に記載の携帯電話機システム。
【請求項５】
前記映写制御部は前記外部インタフェースの制御信号により前記外部入力装置との接続時に前記携帯電話機の送受信データ、カメラの映像データを含むデータを保存するメモリ部から表示データを背面ＬＣＤ表示部に表示させてスクリーンに映写させることを特徴とする、請求項１に記載の携帯電話機。
【請求項６】
前記映写制御部は前記外部インタフェースの制御信号により前記外部入力装置との接続時に前記外部入力装置からの前記表示データを前記携帯電話機のメモリ部に保存し、前記外部入力装置との分離時に前記メモリに保存された前記表示データを前記表示用ＬＣＤ表示部に表示させることを特徴とする、請求項１に記載の携帯電話機システム。
【請求項７】
前記映写制御部は前記外部入力装置との接続時に前記外部入力装置からの前記制御信号、前記表示データを前記外部インタフェースに送信することを特徴とする、請求項１に記載の携帯電話機。
【請求項８】
前記映写制御部は前記外部インタフェースの制御信号により前記外部入力装置との接続時に前記携帯電話機の通信制御部を介して受信したデータ、カメラの映像データを外部メモリに保存することを特徴とする、請求項２に記載の携帯電話機。
【請求項９】
前記外部インタフェースはＤＳＰからなることを特徴とする、請求項１に記載の携帯電話機。
【請求項１０】
スクリーンに映写を行う機能を有する携帯電話機システムの外部映写操作方法において、
前記携帯電話機と外部入力装置との接続を検出する工程と、
接続検出後に前記外部入力装置から前記携帯電話機に制御信号、表示データを出力する工程と、
前記ランプを含む前記携帯電話機の各部に電力を供給するバッテリに前記外部入力装置から充電する工程と、
前記バッテリの電池容量が所定値以下になったか否かを判断する工程と、
所定値以下の場合には表示指示の前記制御信号で前記携帯電話機の映写用ＬＣＤに表示データを表示させる工程と、
前記映写用ＬＣＤに表示データを表示した後に点灯指示の前記制御信号で前記映写用ＬＣＤの背面で前記ランプを点灯して前記携帯電話機から前記スクリーンに映写を行わせる工程とを備えることを特徴とする携帯電話機システムの外部映写操作方法。
【発明の詳細な説明】
【０００１】
【発明が属する技術分野】
本発明はスクリーンへの映写を行う機能を有する携帯電話機に関する。特に、本発明は、外部入力装置を用いて外部から映写操作を行う外部映写操作方法に関する。
【０００２】
【従来の技術】
従来の携帯型端末装置ではディスプレーの透過型液晶板に表示すべき画像が表示され、透過型液晶板の裏面側を照明し、透過型液晶板の前面側に配置されたスクリーンに画像内容が拡大され投影されている（例えば、特許文献１参照。）。
このようにして、携帯電話機上のＬＣＤ（液晶表示部）に表示される画像表示を同時に複数人で見ることが可能になる。
【０００３】
また、従来の移動用電話とは分離した充電部に投影器を設け移動用電話が充電部におかれている時に充電部から電力を取り出して投影器を利用している（例えば、特許文献２参照。）。
このようにして、充電部に投影器の機能を持たせると同時に充電部により投影器への電力を供給している。
【０００４】
また、従来の携帯端末装置の投影表示部により拡大した動画像をスクリーンに投影している（例えば、特許文献３参照。）。
このようにして、ＴＶ会議、映画鑑賞を可能にしている。
【０００５】
【特許文献１】
特開平２−１８４８８６号公報（第２頁、図１）
【特許文献２】
特開２０００−１９９０６０号公報（段落００１５、図３）
【特許文献３】
特開平２００２−３０５５６７号公報（段落００３２、００５８、００５９、図１）
【０００６】
【発明が解決しようとする課題】
ところで、近年、携帯電話機が小型化され、さらに、携帯電話機で操作を行うキー等も小さくなっている。
このため、従来の技術では、携帯電話機のキー操作が起因して携帯電話機の動きとなり操作毎にスクリーンへの投影のブレになり、携帯電話機からの映写が見にくいという第１の問題が生じる。
【０００７】
さらに、近年、携帯電話機には様々な機能が搭載されている。これらの機能には、例えば、メール、インターネット機能はもちろカメラ機能、動画機能も含む。このような携帯電話機の高機能化に伴い、携帯電話機のメモリに保存させる情報容量がますます大きくなっている。
このため、従来の技術では、携帯電話機の映写機能に対しメモリ容量の制限が厳しくなり、映写機能を十分に発揮できないという第２の問題がある。
【０００８】
さらに、近年、携帯電話機の小型化、高機能化に伴って、携帯電話機の電池消費量の制限が厳しくなり、長時間の映写機能を十分に発揮できないという第３の問題がある。
特許文献２に示すように、充電部に携帯電話機を置き、携帯電話機に電力を供給しながら、携帯電話機の映写が可能であるが、通常、充電部を持ち歩かないので、出先では、長時間、携帯電話機の映写機能を十分に発揮できない場合があるからである。
【０００９】
したがって、本発明は上記問題点に鑑みて、携帯電話機の操作に伴う映写のブレを防止でき、携帯電話機のメモリ容量の制限を受けず、さらに、携帯電話機の電池消費量の制限を受けずに、長時間の映写を可能にする携帯電話機及びその外部映写操作方法を提供することを目的とする。
【００１０】
【課題を解決するための手段】
本発明は前記問題点を解決するために、スクリーンに映写を行う機能を有する携帯電話機システムにおいて、携帯電話機で表示データの表示を行う映写用ＬＣＤ表示部と、前記映写用ＬＣＤ表示部の背面で点灯して前記携帯電話機から前記スクリーンに映写を行うランプ部と、前記ランプを含む前記携帯電話機の各部に電力を供給するバッテリと、前記携帯電話機のコネクタと接続可能で、前記携帯電話機の映写操作を行い、前記バッテリの充電を行うための外部入力装置と、前記携帯電話機のコネクタに接続される前記外部入力装置から前記携帯電話機の映写操作を行う制御信号、表示データを取り込むための外部インタフェースと、前記携帯電話機の前記コネクタの接続信号から前記外部入力装置と前記携帯電話機の接続を検出したか否かを判断し検出した場合には前記バッテリへの充電を開始し、さらに、前記バッテリの電池容量が所定値以下になったか否かを判断し所定値以下の場合には表示指示の前記制御信号で前記映写用ＬＣＤ表示部に前記外部インタフェースから取り込んだ前記表示データを表示させ、点灯指示の前記制御信号で前記ランプ部を点灯させる映写制御部とを備えることを特徴とする携帯電話機システムを提供する。
【００１１】
この手段により、携帯電話機の操作に伴う映写のブレを防止でき、携帯電話機のメモリ容量の制限を受けず、さらに、携帯電話機の電池消費量の制限を受けずに、長時間の映写が可能になる。
さらに、前記外部入力装置に脱着可能である外部メモリを設け、前記外部メモリは映写に用いられる前記表示データを保存する。
【００１２】
この手段により、長時間映写する表示データの保存が可能になる。
さらに、前記映写制御部は前記外部インタフェースの制御信号により前記外部入力装置との接続時に前記携帯電話機の送受信データ、カメラの映像データを含むデータを保存するメモリ部から前記外部メモリに前記データを移動する。
この手段により、映写に対して携帯電話機のメモリ部のメモリ容量制限を緩和することが可能になる。
【００１３】
さらに、前記映写制御部は前記外部インタフェースの制御信号により前記携帯電話機の送受信データ、カメラの映像データを含むデータを表示する表示用ＬＣＤ表示部は、接続時に前記外部入力装置から入力した前記表示データを表示する。
この手段により、映写動作の確認が可能になる。
さらに、前記映写制御部は前記外部インタフェースの制御信号により前記外部入力装置との接続時に受信したデータ、カメラの映像データを外部メモリに保存する。
この手段により、外部入力装置からの操作のため、映写のブレを防止でき、外部入力装置からバッテリ１１７への充電により、映写によるバッテリ１１７の消費を防止できるためである。
【００１４】
さらに、前記映写制御部は前記外部インタフェースの制御信号により前記外部入力装置との接続時に前記外部入力装置からの前記表示データを前記携帯電話機のメモリ部に保存し、前記外部入力装置との分離時に前記メモリに保存された前記表示データを前記表示用ＬＣＤ表示部に表示させる。
この手段により、短時間の映写された表示データの場合には、携帯電話機と外部入力装置が分離した後に、正面ＬＣＤ表示駆動部で確認することが可能になる。
【００１５】
さらに、前記映写制御部は前記外部入力装置との接続時に前記外部入力装置からの前記制御信号、前記表示データを前記外部インタフェースに送信する。
この手段により、スクリーンに映写した表示データの送信が可能になる。
さらに、前記映写制御部は前記外部インタフェースの制御信号により前記外部入力装置との接続時に前記携帯電話機の通信制御部を介して受信したデータ、カメラの映像データを外部メモリに保存する。
【００１６】
この手段により、メモリのメモリ容量が不足する場合、外部メモリに保存した受信データ、カメラの映像データをスクリーンに、将来、映写したい場合に有利となる。
さらに、前記外部インタフェースはＤＳＰからなる。
【００１７】
この手段により、携帯電話機と外部入力装置との間の信号処理が簡単に行えるようになる。
【００１８】
さらに、本発明は、スクリーンに映写を行う機能を有する携帯電話機システムの外部映写操作方法において、前記携帯電話機と外部入力装置との接続を検出する工程と、接続検出後に前記外部入力装置から前記携帯電話機に制御信号、表示データを出力する工程と、前記ランプを含む前記携帯電話機の各部に電力を供給するバッテリに前記外部入力装置から充電する工程と、前記バッテリの電池容量が所定値以下になったか否かを判断する工程と、所定値以下の場合には表示指示の前記制御信号で前記携帯電話機の映写用ＬＣＤに表示データを表示させる工程と、前記映写用ＬＣＤに表示データを表示した後に点灯指示の制御信号で前記映写用ＬＣＤの背面で前記ランプを点灯して前記携帯電話機から前記スクリーンに映写を行わせる工程とを備えることを特徴とする携帯電話機システムの外部映写操作方法を提供する。
【００１９】
この手段により、上記発明と同様に、携帯電話機の操作に伴う映写のブレを防止でき、携帯電話機のメモリ容量の制限を受けず、さらに、携帯電話機の電池消費量の制限を受けずに、長時間の映写が可能になる。
【００２０】
【発明の実施の形態】
以下、本発明の実施の形態について図面を参照して説明する。
図１は本発明に係る映写機能付き携帯電話機のシステムの概略構成を示す図である。
本図に示すように、主として、外表面に正面ＬＣＤ（液晶表示）表示部１０７、キー操作部１１０、コネクタ部１１１を有する携帯電話機１００からスクリーン２００に映写が行われる。
【００２１】
さらに、携帯電話機１００のコネクタ部１１１には外部入力装置３００が接続され、外部入力装置３００は携帯電話機１００の映写操作を可能にする。
なお、外部入力装置３００は外出先で使用できる電子機器であり、例えば、パーソナルコンピュータのキーボードであってもよい。
これにより、携帯電話機１００を直接操作して映写操作する必要がなくなり、代わって外部入力装置３００の操作で映写が行われるので、スクリーン２００への映写のブレがなくなる。
【００２２】
さらに、外部入力装置３００には外部メモリ４００が脱着可能であり、外部入力装置３００は、外部メモリ４００に保存されている表示データを読み出して外部入力装置３００から携帯電話機１００に送る。外部メモリ４００により長時間映写する表示データの保存が可能になり、同時に外部メモリ４００は小型で持ち運びに有利である。
携帯電話機１００では送られた表示データがスクリーン２００に映写される。
【００２３】
なお、外部メモリ４００は外部入力装置３００に一体に形成されてもよい。特定の外部入力装置３００の使用頻度が高い場合には、外部メモリ４００の脱着が不要となり、有利である。
このように、携帯電話機１００のメモリ容量に制限があっても、外部メモリ４００に映写データを十分に保存することができるようになるので、携帯電話機１００の映写機能を十分に発揮することが可能になる。
さらに、外部入力装置３００は携帯電話機１００に対して、映写に必要な電力を供給する。
【００２４】
これにより、携帯電話機１００の電池消費量に制限があっても、外部入力装置３００から携帯電話機１００に映写に十分な電力が供給されるようになるので、携帯電話機１００の映写機能を十分に発揮することが可能になる。
図２は図１における映写機能付きの携帯電話機１００の概略構成を示すブロック図である。本図に示すように、携帯電話機１００には制御部１０１が設けられ、制御部１０１はＣＰＵ（中央演算装置）で構成され、携帯電話機１００全体の制御を行う。
【００２５】
なお、制御部１０１には映写制御部１０１Ａが設けられ、映写制御部１０１Ａは外部入力装置３００を携帯電話機１００に接続して携帯電話機１００の映写を長時間行う際の制御を行う。
制御部１０１には無線機１０２が設けられ、無線機１０２は図示しないサイト（無線基地局）と通信を行う。
【００２６】
制御部１０１と無線機１０２の間には通信制御部１０３が接続され、通信制御部１０３は制御部１０１の制御下で無線機１０２の制御を行う。
通信制御部１０３にはスピーカ１０４、マイクロフォン１０５、カメラ１０６が接続され、スピーカ１０４は通信制御部１０３の制御下で無線機１０２で受信した音声信号を音声に変換し、マイクロフォン１０５は通信制御部１０３の制御下で無線機１０２から送信すべき音声を音声信号に変換し、カメラ１０６は通信制御部１０３の制御下で無線機１０２から送信すべき画像データを撮像する。
【００２７】
さらに、携帯電話機１００には前述の正面ＬＣＤ表示部１０７が設けられ、正面ＬＣＤ表示部１０７は無線機１０２でアップロード又はダウンロードした送受信データ、カメラ１０６の映像データを含む通常表示を行う。
制御部１０１と正面ＬＣＤ表示部１０７の間に正面ＬＣＤ表示駆動部１０８が接続され、正面ＬＣＤ表示駆動部１０８は制御部１０１の制御下で正面ＬＣＤ表示部１０７を駆動し正面ＬＣＤ表示部１０７が通常表示を行えるようにする。
【００２８】
さらに、制御部１０１にはメモリ１０９が接続され、メモリ１０９は制御部１０１の制御を実現するプログラムデータ、送受信データ、カメラ１０６の映像データを含むデータを保存する。
さらに、制御部１０１には前述のキー操作部１１０が接続され、キー操作部１１０は操作キーを有し、操作キーによりデータ入力操作、送受信操作、機能操作を含む操作が行われる。
【００２９】
さらに、携帯電話機１００には外部インタフェース１１２が設けられ、外部インタフェース１１２はＤＳＰ（Ｄｉｇｉｔａｌ  Ｓｉｇｎａｌ  Ｐｒｏｓｅｓｓｏｒ）で構成され、映写制御部１０１Ａにより制御され、コネクタ部１１１を介して、外部入力装置３００から、制御信号、表示データを取り込む。これにより、携帯電話機と外部入力装置との間の信号処理が簡単に行えるようになる。
【００３０】
映写制御部１０１Ａは外部インタフェース１１２からキー操作部１１０を介して上記の制御信号を入力する。
また、映写制御部１０１Ａはコネクタ部１１１から接続信号を入力する。
携帯電話機１００には正面ＬＣＤ表示部１０７の他に背面ＬＣＤ表示部１１３が設けられ、背面ＬＣＤ表示部１１３は透明ガラス部からなる透過型ＬＣＤ表示部であり、スクリーン２００に映写すべき表示データを表示する。背面ＬＣＤ表示部１１３では、正面ＬＣＤ表示部１０７と比較して、表示データを左右、上下反転して表示が行われる。
【００３１】
背面ＬＣＤ表示部１１３には背面ＬＣＤ表示駆動部１１４が接続され、背面ＬＣＤ表示駆動部１１４は外部インタフェース１１２から表示データを入力し、映写制御部１０１Ａの制御下で背面ＬＣＤ表示部１１３を駆動し背面ＬＣＤ表示部１１３に表示データを表示させる。
さらに、携帯電話機１００にはランプ１１５が設けられ、ランプ１１５はその点灯により背面ＬＣＤ表示部１１３に表示されている表示データをスクリーン２００に映写する。
【００３２】
ランプ１１５と映写制御部１０１Ａとの間にはランプ制御部１１６が接続され、ランプ制御部１１６は、映写制御部１０１Ａの制御下、点灯の指示によりランプ１１５を点灯させる。
携帯電話機１００にはバッテリ１１７が設けられ、バッテリ１１７は携帯電話機１００の各部に電力を供給し、特にコネクタ部１１１を介して外部入力装置３００により充電され、ランプ制御部１１６を介してランプ１１５に電力を供給する。
【００３３】
なお、外部インタフェース１１２から正面ＬＣＤ表示駆動部１０８に表示データを出力するようにして、正面ＬＣＤ表示部１０７に映写時に表示させるようにしてもよい。映写動作の確認のためである。
メモリ１０９に保持されている表示データを背面ＬＣＤ表示部１１３に表示させてスクリーン２００に映写させるようにしてもよい。外部入力装置３００からの操作のため、映写のブレを防止でき、外部入力装置３００からバッテリ１１７への充電により、バッテリ１１７の消費を防止できるためである。
【００３４】
外部インタフェース１１２からメモリ１０９に表示データを保存させるようにしてもよい。外部インタフェース１１２の分離時にメモリ１０９に保持された表示データを背面ＬＣＤ表示部１１３からスクリーン２００に短時間映写させるためである。
さらに、メモリ１０９に保存されている表示データを、映写制御部１０１Ａの制御下、外部インタフェース１１２、コネクタ部１１１、外部入力装置３００を介して外部メモリ４００に保存するようにしてもよい。
【００３５】
これにより、将来、映写したい送受信データ、カメラ１０６の映像データを外部メモリ４００に移動保存することにより、メモリ１０９のメモリ容量制限を緩和することが可能になる。
さらに、外部インタフェース１１２から通信制御部１０３に表示データを送信するようにしてもよい。スクリーン２００に映写した表示データを送信したい場合があるためである。
【００３６】
さらに、通信制御部１０３から受信したデータ、カメラ１０６の映像データを外部インタフェース１１２、コネクタ部１１１、外部入力装置３００を介して、外部メモリ４００に直接保存してもよい。
これは、メモリ１０９のメモリ容量が不足する場合があり、外部メモリ４００に保存した受信データ、カメラ１０６の映像データをスクリーン２００に、将来、映写したい場合があるためである。
【００３７】
図３は携帯電話機１００の映写機能の概略具体例を示す横断面図である。本図に示すように、図２と比較して、ランプ１１５と背面ＬＣＤ表示部１１３の間には集光レンズ１２０が設けられ、集光レンズ１２０はランプ１１５からの光を背面ＬＣＤ表示部１１３の面に集める。
さらに、携帯電話機１００の外面で背面ＬＣＤ表示部１１３の集光レンズ１２０と反対側には外付けレンズ１２１が設けられ、外付けレンズ１２１は、拡大表示用のレンズであり、背面ＬＣＤ表示部１１３の表示データを拡大してスクリーン２００に映写する。
【００３８】
なお、背面ＬＣＤ表示駆動部１１４で背面ＬＣＤ表示部１１３を全画面白色で塗りつぶしを行うことにより、スクリーン２００に白色の照明が可能になる。
同様の手順で他の色についてもスクリーン２００にカラフルな照明が可能になる。
さらに、背面ＬＣＤ表示部１１３に動画画像を表示することによってスクリーン２００に動画を映写することが可能になる。
【００３９】
図４は図２における映写機能付きの携帯電話機１００の動作例を説明するフローチャートである。
本図に示すように、ステップＳ２０１において、携帯電話機１００と外部入力装置３００とが接続した場合には、接続信号の入力で、映写制御部１０１Ａで接続検出を行う。
【００４０】
ステップＳ２０２において、外部入力装置３００から外部インタフェース１１２に制御信号、表示データが入力する。
ステップＳ２０３において、外部入力装置３００からバッテリ１１７に充電が開始する。
ステップＳ２０４において、外部インタフェース１１２から映写制御部１０１Ａに制御信号が入力する。
【００４１】
ステップＳ２０５において、外部インタフェース１１２から背面ＬＣＤ表示駆動部１１４に表示データが入力する。
ステップＳ２０６において、映写制御部１０１Ａではメモリ１０９に外部インタフェース１１２からの表示データを保存する指示が外部入力装３００からあったか否か又はキー操作部１１０からあったか否かを判断する。指示があればステップＳ２０７に進む。
【００４２】
ステップＳ２０７において、上記保存指示がある場合にはメモリ１０９に外部インタフェース１１２からの表示データを保存する。
ステップＳ２０８において、映写制御部１０１Ａでは正面ＬＣＤ表示部１０７に外部インタフェース１１２からの表示データを表示する指示が外部入力装置３００からあったか否か又はキー操作部１１０からあったか否かを判断する。指示があればステップＳ２０９に進む。
【００４３】
ステップＳ２０９において、上記表示指示がある場合には正面ＬＣＤ表示部１０７に外部インタフェース１１２からの表示データを表示する。
ステップＳ２１０において、映写制御部１０１Ａにバッテリ１１７の電池容量データが入力する。
ステップＳ２１１において、バッテリ１１７の電池容量が所定値以下であるか否かを判断する。所定値以上の場合には充電により所定値以下になるのを待つ。
【００４４】
ステップＳ２１２において、電池容量が所定値以下である場合には映写制御部１０１Ａから背面ＬＣＤ表示駆動部１１４に表示指示が行われる。
ステップＳ２１３において、映写制御部１０１Ａからランプ制御部１１６に点灯指示が行われる。
ステップＳ２１４において、メモリ１０９から外部メモリ４００に表示データを移動保存する要求があるか否かを判断する。要求がなければ処理を終了する。
【００４５】
ステップＳ２１５において、表示データの移動保存の要求がある場合にはメモリ１０９から外部メモリ４００に表示データを移動保存し、処理を終了する。
このようにして、携帯電話機の操作に伴う映写のブレを防止でき、携帯電話機のメモリ容量の制限を受けず、さらに、携帯電話機の電池消費量の制限を受けずに、長時間の映写が可能になる。
【００４６】
図５は外部入力装置３００分離時にメモリ１０９に保存した表示データを表示する動作例を説明するフローチャートである。
本図に示すように、ステップＳ２２１において、映写制御部１０１Ａで携帯電話機１００と外部入力装置３００の分離検出を行う。
ステップＳ２２２において、分離検出の場合にはキー操作部１１０から表示要求があるか否かを判断する。
【００４７】
ステップＳ２２３において、表示要求があった場合にはメモリ１０９に保存されている表示データを映写制御部１０１Ａから正面ＬＣＤ表示駆動部１０８に表示指示が行われる。
このようにして、短時間の映写された表示データの場合には、携帯電話機１００と外部入力装置３００が分離した後に、正面ＬＣＤ表示駆動部１０８で確認することが可能になる。
【００４８】
以上の説明では、外部入力装置３００に充電機能を持たせたが、携帯電話機１００の充電部（図示しない）が映写時に使用可能な場合には、外部入力装置３００から充電機能を削除してもよい。
【００４９】
【発明の効果】
以上説明したように、本発明によれば、携帯電話機と外部入力装置との接続を検出し、接続検出後に外部入力装置から携帯電話機に制御信号、表示データを出力し、表示指示の制御信号で携帯電話機の映写用ＬＣＤ表示部に表示データを表示させ、点灯指示の制御信号で映写用ＬＣＤ表示部の背面で点灯して携帯電話機からスクリーンに映写を行わせ、ランプを含む携帯電話機の各部に電力を供給するバッテリに外部入力装置から充電し、外部入力装置と脱着可能な外部メモリに携帯電話機に出力するための表示データを保存するようにしたので、携帯電話機の操作に伴う映写のブレを防止でき、携帯電話機のメモリ容量の制限を受けず、さらに、携帯電話機の電池消費量の制限を受けずに、長時間の映写が可能になる。
【００５０】
さらに、外部入力装置に脱着可能である外部メモリを設け、外部メモリは映写に用いられる表示データを保存するようにしたので、長時間映写する表示データの保存が可能になる。
さらに、外部入力装置との接続時に携帯電話機の送受信データ、カメラの映像データを含むデータを保存するメモリ部から外部メモリにデータを移動するようにしたので、映写に対して携帯電話機のメモリ部のメモリ容量制限を緩和することが可能になる。
【図面の簡単な説明】
【図１】本発明に係る映写機能付き携帯電話機のシステムの概略構成を示す図である。
【図２】図１における映写機能付きの携帯電話機１００の概略構成を示すブロック図である。
【図３】携帯電話機１００の映写機能の概略具体例を示す横断面図である。
【図４】図２における映写機能付きの携帯電話機１００の動作例を説明するフローチャートである。
【図５】外部入力装置３００分離時にメモリ１０９に保存した表示データを映写する動作例を説明するフローチャートである。
【符号の説明】
１００…携帯電話機
１０１…制御部
１０１Ａ…映写制御部
１０２…無線機
１０３…通信制御部
１０４…スピーカ
１０５…マイクロフォン
１０６…カメラ
１０７…正面ＬＣＤ表示部
１０８…正面ＬＣＤ表示駆動部
１０９…メモリ
１１０…キー操作部
１１１…コネクタ部
１１２…外部インタフェース
１１３…背面ＬＣＤ表示部
１１４…背面ＬＣＤ表示駆動部
１１５…ランプ
１１６…ランプ制御部
１１７…バッテリ
１２０…集光レンズ
１２１…外付けレンズ
２００…スクリーン
３００…外部入力装置
４００…外部メモリ
【図１】
0004282336.tif 000002
【図２】
0004282336.tif 000003
【図３】
0004282336.tif 000004
【図４】
0004282336.tif 000005
【図５】
0004282336.tif 000006